(57)【要約】 【課題】  長期に安定かつ安全に使用でき、安定して反応生成物を生成できる反応器を提供する。【解決手段】  反応器１に接合される供給管２ａから供給された物質を、他の物質に変化させ、排出管２ｂより排出するための装置であり、その供給された物質を他の物質に変化させるための内部空間８を内部に有しており、担持された反応触媒３を用いて供給された物質を変性、転化、分解、混合し、別の物質に変換するための化学反応部として作用する。【選択図】      図１
2009241033.tif 000002
【特許請求の範囲】
【請求項１】
基体と、
前記基体に設けられ、基体との間に気密に封止された内部空間を形成する蓋体と、
前記内部空間内に設けられる第１担持体と、
前記第１担持体の表面に設けられ、第１担持体よりも高い酸化性を有する第２担持体と、
前記第２担持体に担持される反応触媒と、を含むことを特徴とする反応器。
【請求項２】
前記第２担持体は、球状粒子から成ることを特徴とする請求項１に記載の反応器。
【請求項３】
前記第２担持体は、その表面が金属であることを特徴とする請求項１または２に記載の反応器。
【請求項４】
前記第２担持体は、金属から成ることを特徴とする請求項１〜３のいずれか１つに記載の反応器。
【請求項５】
前記第２担持体は、銅から成ることを特徴とする請求項１〜４のいずれか１つに記載の反応器。
【請求項６】
前記反応触媒は、Ｎｉ、Ｃｕ、Ｃｕ−Ｃｒ、Ｃｕ−Ｚｎ、Ｐｔ、ＰｄおよびＲｕのうちから選ばれた１種から成ることを特徴とする請求項１〜５のいずれか１つに記載の反応器。
【発明の詳細な説明】
【技術分野】
【０００１】
本発明は、反応器に関する。
【背景技術】
【０００２】
近年、精密加工技術の進歩発展によって、マイクロテクノロジーと呼ばれる新しい概念が登場してきた。すなわち、マイクロな微小空間を活用して、液体や気体を高速、高精度で制御し反応させるマイクロ化学システムは、反応・分析の効率化・高速化のための革新的な技術としてだけでなく、新反応系の場としても注目を集めている。
【０００３】
特に、マイクロ化学プラントは従来の工業的物質生産の方式を変革するものとして、化学産業だけでなく関連する医療、製薬、バイオ関連、食品産業などからも大きな期待が寄せられている。このマイクロ化学システム（プラント）は、マイクロ加工技術によってつくられた幅数μｍから数百μｍのマイクロ流路を基本に、各種のマイクロ反応器（マイクロリアクター等）の機能デバイスから構成されるシステムである。そして、このマイクロ化学システムは熱移動や物質移動速度が格段に大きく、化学反応の効率を飛躍的に増加させる可能性が指摘されている。
【０００４】
【特許文献１】特開２００３−２６０２号公報
【発明の開示】
【発明が解決しようとする課題】
【０００５】
このような反応器内での化学反応の反応速度を高めるために、反応触媒を反応器内に担持させることが行われている。
【０００６】
反応触媒は、反応速度を高めるために原料物質との接触を高める必要があり、そのために被表面積を高める必要がある。そこで、反応触媒の粒子径を小さくすることが行われている。
【０００７】
しかしながら、反応触媒の粒子径を小さくすることによって、反応器との接触面積も小さくなり、反応触媒と反応器との接合強度が低下し、触媒が担持体から剥離してしまうという問題が生じる。
【０００８】
その際に剥離した触媒によって、反応器の排出孔を塞いだり、または排出孔の内部を塞ぎ、反応器内での反応によって生成された反応生成物の反応器外への排出を阻害することがあった。その結果、原料物質の反応器への供給も滞り、反応生成も阻害されるという問題がある。
そこで、長期に安定して反応生成物を生成できる反応器が望まれていた。
【課題を解決するための手段】
【０００９】
本発明の実施形態にかかる反応器は、基体と、前記基体に設けられ、基体との間に気密に封止された内部空間を形成する蓋体と、前記内部空間内に設けられる第１担持体と、前記第１担持体の表面に設けられ、第１担持体よりも高い酸化性を有する第２担持体と、
前記第２担持体に担持される反応触媒と、を備える。
【００１０】
本発明に従えば、反応触媒が第１担持体よりも酸化性の高い第２担持体に担持されるので、第２担持体の表面に担持した反応触媒の接続に良好な強度を保持することができ、第２担持体から反応触媒が剥離して反応触媒が排出孔を塞ぐことを抑制できる。
【発明の効果】
【００１１】
本発明によれば、第１担持体の表面に、この第１担持体よりも酸化性の高い第２担持体を設け、第２担持体の表面に反応触媒が担持されるので、第２担持体の表面に担持した反応触媒の接続に良好な強度を保持することができる。それゆえ、第２担持体から反応触媒が剥離して排出孔を塞ぐことを抑制できる。その結果、長期に安定して反応生成物を生成することができる。
【発明を実施するための最良の形態】
【００１２】
図１は本発明の一実施形態の反応器１を示す断面図である。
本実施形態の反応器１は、基体１ａ、基体１ａに気密に接合され、基体１ａとの間に内部空間８を形成する蓋体１ｂ、反応器１に原料を入力するための供給管２ａ、反応器１から反応物を出力するための排出管２ｂ、反応触媒３、反応触媒３が担持されている第２担持体４、第２担持体４が搭載される第１担持体５、リード端子６、および電極７を含む。
【００１３】
基体１ａおよび蓋体１ｂは、反応触媒３を収納する容器としての役割を有する。反応器１は、反応器１に接合される供給管２ａから供給された物質を、他の物質に変化させ、排出管２ｂから排出するための装置であり、その供給された物質を他の物質に変化させるための内部空間８を内部に有し、担持された反応触媒３を用いて供給された物質を変性、転化、分解、混合し、別の物質に変換するための化学反応部として機能する。
【００１４】
反応器１は、特に限定されるものではなく、たとえば、シリコン等の半導体、石英、ガラス、金属、またはセラミックス等の無機材料から成る基体１ａに、切削法、エッチング法、またはブラスト法等によって内部空間８を形成して液体を導く流路を作製するとともに、操作中の液体の蒸発防止等を目的として、ガラス板または金属等から成る蓋体１ｂを陽極接合、ロウ付け、または溶接等によって表面に密着させることによって形成される。またその形状も特に限定されるものではなく、たとえば中空でかつ直方体状等が挙げられる。それらは、たとえば、ＳＵＳ、Ｆｅ−Ｎｉ−Ｃｏ合金、Ｆｅ−Ｎｉ合金等のＦｅ系合金、または無酸素銅等の金属材料、酸化アルミニウム（Ａｌ２Ｏ３）質焼結体、ムライト（３Ａｌ２Ｏ３・２ＳｉＯ２）質焼結体、炭化珪素（ＳｉＣ）質焼結体、窒化アルミニウム（ＡｌＮ）質焼結体、窒化珪素（Ｓｉ３Ｎ４）質焼結体、ガラスセラミックス等のセラミック材料、またはポリイミド等の高耐熱の樹脂材料等によって形成され、断熱性の観点から、特にはセラミック材料から成るのが好ましい。
【００１５】
基体１ａおよび蓋体１ｂに適用可能なガラスセラミックスとしては、ガラス成分とフィラー成分とが挙げられる。ガラス成分としては、たとえばＳｉＯ２−Ｂ２Ｏ３系、ＳｉＯ２−Ｂ２Ｏ３−Ａｌ２Ｏ３系、ＳｉＯ２−Ｂ２Ｏ３−Ａｌ２Ｏ３−ＭＯ系（但し、ＭはＣａ、Ｓｒ、Ｍｇ、ＢａまたはＺｎを示す）、ＳｉＯ２−Ａｌ２Ｏ３−Ｍ１Ｏ−Ｍ２Ｏ系（但し、Ｍ１およびＭ２は同一または異なってＣａ、Ｓｒ、Ｍｇ、ＢａまたはＺｎを示す）、ＳｉＯ２−Ｂ２Ｏ３−Ａｌ２Ｏ３−Ｍ１Ｏ−Ｍ２Ｏ系（但し、Ｍ１およびＭ２は前記と同じである）、ＳｉＯ２−Ｂ２Ｏ３−Ｍ３２Ｏ系（但し、Ｍ３はＬｉ、ＮａまたはＫを示す）、ＳｉＯ２−Ｂ２Ｏ３−Ａｌ２Ｏ３−Ｍ３２Ｏ系（但し、Ｍ３は前記と同じである）、Ｐｂ系ガラス、Ｂｉ系ガラス等が挙げられる。
【００１６】
また、フィラー成分としては、たとえばＡｌ２Ｏ３、ＳｉＯ２、ＺｒＯ２とアルカリ土類金属酸化物との複合酸化物、ＴｉＯ２とアルカリ土類金属酸化物との複合酸化物、Ａｌ２Ｏ３およびＳｉＯ２から選ばれる少なくとも１種を含む複合酸化物（たとえばスピネル、ムライト、コージェライト）等が挙げられる。
【００１７】
基体１ａおよび蓋体１ｂは、基体１ａおよび蓋体１ｂによって形成される内部空間８に反応触媒３を収納できればよく、たとえば図１に示すように、板状の基体１ａと断面凹状の蓋体１ｂと接合した構成であってもよく、あるいは凹部を有する枠状の基体１ａと板状の蓋体１ｂとを接合して構成されてもよい。
【００１８】
この場合、基体１ａと蓋体１ｂは、内部を外部とを遮断するため、半田や金属ロウ材等で接合する方法や、基体３ａが凹部を有する場合には、凹部の上面に鉄合金等で作製されたシールリング等を接合して、シーム溶接、電子ビーム溶接やレーザビーム溶接等の方法によって接合してもよい。
【００１９】
たとえば、Ａｕ−Ｓｎロウ材によって接合する場合は、蓋体１ｂに予めＡｕ−Ｓｎロウ材を溶着させておくか、あるいは金型等を用いて打ち抜き加工等で枠状に形成したＡｕ−Ｓｎロウ材を基体１ａと蓋体１ｂとの間に載置した後、封止炉あるいはシーム溶接によって蓋体１ｂを基体１ａに接合する。
【００２０】
また、基体１ａおよび蓋体１ｂは、反応器１の小型化、低背化を可能とするために、厚さを薄くするのが好ましいが、基体１ａおよび蓋体１ｂの強度を維持すべく、械的強度である曲げ強度は２００ＭＰａ以上とするのが好ましい。たとえば、曲げ強度が２００ＭＰａ以下の場合には、基体１ａおよび蓋体１ｂの機械的強度が不足し、荷重が加わった際に変形または破壊してしまう可能性がある。
【００２１】
また、基体１ａおよび蓋体1ｂが、相対密度が９５％以上の緻密質の酸化アルミニウム質焼結体で形成される場合、以下のようにして作製される。
【００２２】
まず、酸化アルミニウム粉末に、希土類酸化物粉末や酸化アルミニウム粉末等の焼結助剤を添加、混合して、酸化アルミニウム質焼結体の原料粉末を調製する。次いで、この原料粉末に有機バインダおよび分散媒を添加、混合してペースト化し、このペーストをドクターブレード法によって、あるいは原料粉末に有機バインダを加え、プレス成形、圧延成形等によって、所定の厚みのグリーンシートを作製する。その後、所定枚数のシート状成形体を位置合わせして積層圧着した後、この積層体を、たとえば非酸化性雰囲気中、焼成最高温度が１２００℃〜１５００℃の温度で焼成して、目的とするセラミック製の基体１ａおよび蓋体１ｂを得ることができる。なお、基体１ａおよび蓋体１ｂの成形は、粉末成形プレス法であってもよい。
【００２３】
一方、基体1ａおよび蓋体1ｂが金属材料から成る場合は、切削法、プレス法、ＭＩＭ（Metal Injection Mold）法等によって所定の形状に形成される。
【００２４】
さらに、基体1ａおよび蓋体1ｂが金属材料から成る場合には、腐食を防止するためにその表面は、たとえばＡｕ、Ｎｉのめっき処理や、ポリイミド等の樹脂コーティング等の被覆コーティング処理が行なわれることが望ましい。たとえばＡｕめっき処理の場合であれば、その厚さは０．１μｍ〜５μｍであることが望ましい。
【００２５】
そして、基体１ａおよび蓋体１ｂによって形成される反応器１の内部空間８に、反応触媒３を担持した第２担持体４が搭載された第１担持体５が収納される。
【００２６】
さらには、反応触媒３を収容する反応器１は、上記に述べた異種の材料の組合せでもよく、部分的に異なる材料を組合せて用いてもよい。
【００２７】
反応器１内には、温度調節機構、たとえば、抵抗層等から成る薄膜ヒータ（図示せず）や厚膜ヒータ（図示せず）を形成し、表面にはこのヒータへ電力を供給する端子として電極７が形成される。この温度調節機構によって、反応器１を、触媒反応条件に相当する２００〜８００℃程度の温度条件に調整することで、供給管２ａが接続された原料供給口から供給される原料を反応させて、原料排出孔に接続された排出管２ｂから反応生成物を発生させる原料反応を良好に促進することができる。
【００２８】
なお、反応器１において、ヒータは、反応触媒３が担持され原料反応をおこなう空隙内、あるいはその近傍に配置されることによって、ヒータから発生する熱を効率的に原料反応に用いることができる。たとえば、ヒータは、後述する第１担持体５に設けられていてもよい。
【００２９】
また、反応器１は、リード端子６を有する場合には、反応器１上の電極７とリード端子６をロウ付けやボンディングワイヤ等（図示せず）によって電気的に接続することによって、反応器１の表面や内部に形成されたヒータを加熱することができる。その結果、反応器１において反応温度の維持が可能となり、原料を安定に反応させることができる。
【００３０】
また、反応器１内の内部空間８には、第１担持体５、第２担持体４、反応触媒３を有する。たとえば、予め第２担持体４に反応媒体３を担持させる。しかる後、第２担持体４を第１担持体に接合する。
【００３１】
反応触媒３の材料としては、たとえば、Ｎｉ、Ｃｕ、Ｃｕ−Ｃｒ、Ｃｕ−Ｚｎ、Ｐｔ、Ｐｄ、Ｒｕ等を主成分とするものを用いることができる。
【００３２】
反応触媒３は、反応器１の基体１ａから供給される熱を利用し、所定の温度で製造プロセスにおいて、反応触媒３と接触した原料を生成物に変換する役割を有する。なお、原料と反応触媒３との反応に要する温度や時間は、使用する反応触媒３の種類によって異なる。
【００３３】
第１担持体５は、たとえば、ＳＵＳ、Ｆｅ−Ｎｉ−Ｃｏ合金、Ｆｅ−Ｎｉ合金等のＦｅ系合金、または無酸素銅等の金属材料、酸化アルミニウム（Ａｌ２Ｏ３）質焼結体、ムライト（３Ａｌ２Ｏ３・２ＳｉＯ２）質焼結体、炭化珪素（ＳｉＣ）質焼結体、窒化アルミニウム（ＡｌＮ）質焼結体、窒化珪素（Ｓｉ３Ｎ４）質焼結体、ガラスセラミックス等のセラミック材料、またはポリイミド等の高耐熱の樹脂材料等によって形成することができる。
【００３４】
また、第１担持体５は、反応器１の基体１ａからの熱を好適に反応触媒３に伝える点に鑑み、特に薄板の金属材料が好ましい。
【００３５】
第１担持体５が金属材料から成る場合は、切削法、プレス法、またはＭＩＭ（Metal 
Injection Mold）法等によって、所定の形状に形成される。
【００３６】
第２担持体４は、たとえば、反応触媒３の接合強度を向上させるために、金属材料、セラミック材料、等の反応触媒３との反応性が高いものとの組み合わせて選択することによって、第２担持体４と反応触媒３との高い接合強度を確保することができる。
【００３７】
第２担持体４が金属から成る場合には、第２担持体４は、均等に熱され易く、反応触媒３の反応生成物の発生のバラツキが低減される。また、第１担持体５から第２担持体４へ効率良く熱伝導する事が可能となり、反応触媒３の反応が促進される。
【００３８】
特に、第２担持体４の金属が銅である場合には、酸化性が高く、反応触媒３との酸化接合強度を保持し、かつ熱伝導率が高く、反応触媒３への熱伝達が効率よく行われることによって、反応触媒３による生成物の生成を、さらに促進することができる。
【００３９】
第２担持体４を、第１担持体５に接合する方法は、たとえば、第１担持体５の表面に第２担持体４を散布後、酸化反応が発現するのに必要な温度で焼き付ける方法や、第１担持体５の表面に第２担持体４をブラストにより打ち込み機械的強度を確保する方法がある。
【００４０】
供給管２ａおよび排出管２ｂは、たとえば、Ｆｅ−Ｎｉ系、Ｆｅ−Ｎｉ−Ｃｏ系、ＳＵＳ等の金属材料、またはＡｌ２Ｏ３質焼結体、３Ａｌ２Ｏ３・２ＳｉＯ２質焼結体、ＳｉＣ質焼結体、ＡｌＮ質焼結体、Ｓｉ３Ｎ４質焼結体、ガラスセラミック焼結体等のセラミック材料、またはポリイミド等の高耐熱の樹脂材料によって形成されている。
【００４１】
反応器１の物質供給口および物質排出孔に対する供給管２ａおよび排出管２ｂの接続には、石英ガラス、ホウ珪酸ガラス等のガラスや各種セラミックス、無機ポリマーを含む無機接着剤、ポリイミドアミド等の高耐熱性有機材料を含む接着剤、シリコーンゴムや珪素樹脂等の有機珪素化合物、Ａｕ−Ｓｎ、Ａｕ−Ｓｉ、Ａｕ−Ｇｅ、Ａｇ−Ｃｕ合金等の各種ロウ材から成るものを用いる接続方法が適用でき、これによって気密封止される。
【００４２】
また、供給管２ａおよび排出管２ｂの内径φは、０．１ｍｍ以上として流体の圧力損失を抑えるとともに、小型化、低背化のためには、供給管２ａおよび排出管２ｂの内径φを５ｍｍ以下とすることが好ましい。
【００４３】
供給管２ａおよび排出管２ｂの接合部分の断面形状としては、通常は断面が円形とすればよいが、これに限定されない。すなわち、円形の他には、楕円形や、管内の流体の流れが阻害されないように、管の内径部分を面取りした形状のものが挙げられる。
【００４４】
また、肉厚は物質供給や反応物質排出の圧力で変形しない厚みが必要であり、上記の材料から成る場合には、携帯機器等に使用するものでは、通常は０．１ｍｍ以上であればよい。また、流れ方向の長さは、反応器１で発生する熱を発電セルに伝えにくくするためには長い程よいが、反応装置システム全体の大きさを考慮した長さにすべきである。
【００４５】
本実施の形態によれば、次の効果を奏することができる。
第１担持体５の表面に、この第１担持体５よりも酸化性の高い第２担持体４を設け、第２担持体４の表面に反応触媒３が担持されるので、第２担持４体の表面に担持した反応触媒３の接続に良好な強度を保持することができ、第２担持体４から反応触媒３が剥離して反応触媒３が排出孔を塞ぎ、反応器１内での反応で生成された反応生成物が反応器１外への排出することを阻害されることを防止することができ、長期に安定かつ安全に使用安定して反応生成物を生成することができる。
【００４６】
また、第２担持体４の形状は、球状であることから、反応触媒３の担持する面積が広く成ることから、反応触媒３の担持量を増やすことができる。
【００４７】
また、第２担持体４の表面は、金属で覆われていることから、反応触媒３の接続方法として、金属表面の酸化反応で接合する反応触媒３の担持に良好な接続強度を発現させることができる。
【００４８】
また、第２担持体４は、金属から成ることから、第２担持体４の熱容量が小さく、第２担持体４が均熱され、反応触媒３の反応生成物の発生バラツキが低減される。また、第１担持体５の熱を効率よく第２担持体４が伝導する事が可能となり、反応触媒３の反応が促進される。
【００４９】
また、第２担持体４の金属が、銅であることから、酸化性が高く、反応触媒３との接合強度を保持し、かつ熱伝導率が高く、反応触媒３への熱伝達が効率良く行われることで、反応触媒による生成物の生成を促進することができる。
【００５０】
本発明は、以上の実施の形態の例に限定されるものではなく、本発明の要旨を逸脱しない範囲で種々の変更を加えることは何ら差し支えない。たとえば、図１に示した例においては、供給管２ａおよび排出管２ｂは反応器１の下面に接合されているが、これらは反応器１の仕様に応じて上面に接合してもよい。
【図面の簡単な説明】
【００５１】
【図１】本発明の実施の一形態の反応器１を示す断面図である。
【符号の説明】
【００５２】
１  反応器
１ａ  基体
１ｂ  蓋体
２ａ  供給管
２ｂ  排出管
３  反応触媒
４  第２担持体
５  第１担持体
６  リード端子
７  電極
８  内部空間
【図１】
2009241033.tif 000003